(57)【要約】【課題】白色ＬＥＤを使用し、より簡便な構成で低コストに暖色性白色照明を実現する。【解決手段】白色ＬＥＤ６が配置された基板４、及び該基板４を覆う光拡散性カバー３を備えたＬＥＤ照明器具１であって、この基板４の表面に橙色領域Ａを設ける。【選択図】図１
2011100545.tif 000002
【特許請求の範囲】
【請求項１】
白色ＬＥＤが配置された基板、及び該基板を覆う光拡散性カバーを備えたＬＥＤ照明器具であって、白色ＬＥＤが配置された基板が表面に橙色領域を有するＬＥＤ照明器具。
【請求項２】
橙色領域が、橙色のソルダーレジストの塗膜からなる請求項１記載のＬＥＤ照明器具。
【請求項３】
白色ＬＥＤが配置されている側の基板表面の略全面が橙色領域である請求項１又は２記載のＬＥＤ照明器具。
【請求項４】
白色ＬＥＤが、青色ＬＥＤ素子と黄色蛍光体を備えたＳＭＤ型白色ＬＥＤである請求項１〜３のいずれかに記載のＬＥＤ照明器具。
【発明の詳細な説明】
【技術分野】
【０００１】
本発明は、暖色系白色照明を実現するＬＥＤ照明器具に関する。
【背景技術】
【０００２】
ＬＥＤは、電球や蛍光灯に比して消費電力を大幅に削減でき、発熱量も少なく、寿命も長いため、ＬＥＤを光源に用いたＬＥＤ照明器具は、電球や蛍光灯に代わる照明器具として注目されている。
【０００３】
ＬＥＤ照明器具に用いるＬＥＤとしては、青色ＬＥＤ素子と、黄色光を発光するＹＡＧ等の蛍光体とを組み合わせたものが、構造が簡単で発光効率が高いことにより主流となっている。しかしながら、この方式は、青色と黄色との補色関係により疑似白色を得るものであるため、赤色成分が不足し、演色性に劣る。
【０００４】
そこで、ＬＥＤ照明器具においても昼光色乃至電球色といった白色を得られるようにすること、特に昼白色乃至電球色といった暖色系の照明光を得ることが課題となっており、これに対して赤色、緑色、青色の光の３原色のＬＥＤを組み合わせること、青色ＬＥＤと黄色ＬＥＤとを用いてそれらの発光出力を調整すること（特許文献１）、白色ＬＥＤと赤色ＬＥＤとを組み合わせること（特許文献２）などの手法が知られている。
【先行技術文献】
【特許文献】
【０００５】
【特許文献１】特開２００７−２６５８１８
【特許文献２】特開２００８−３００１２４
【発明の概要】
【発明が解決しようとする課題】
【０００６】
しかしながら、昼光色乃至電球色といった白色を得るための従来の方法は、構造や回路構成が複雑になる。そこで、本発明は、白色ＬＥＤを使用し、より簡便な構成で低コストに暖色系白色照明を実現することを目的とする。
【課題を解決するための手段】
【０００７】
上述の目的を達成するため、本発明は、白色ＬＥＤが配置された基板、及び該基板を覆う光拡散性カバーを備えたＬＥＤ照明器具であって、白色ＬＥＤが配置された基板が表面に橙色領域を有するＬＥＤ照明器具を提供する。
【発明の効果】
【０００８】
本発明のＬＥＤ照明器具によれば、白色ＬＥＤから発せられた白色光が光拡散性カバーで拡散され、その一部が橙色の基板表面で反射して橙色成分を獲得し、その反射光が再度光拡散性カバーで拡散されて出射するので、ＬＥＤ照明器具から発せられる光は、白色ＬＥＤ自体が発する光よりも暖色系となり、昼白色乃至電球色を呈するものとなる。このため、汎用されている白色ＬＥＤを使用し、簡便な構成で低コストに暖色系白色照明を得ることができる。
【図面の簡単な説明】
【０００９】
【図１】図１は、実施例のＬＥＤ照明器具の斜視図（ａ）、及びその光拡散性カバーを取り外した状態の斜視図である。
【図２】図２は、実施例のＬＥＤ照明器具における光路の説明図である。
【発明を実施するための形態】
【００１０】
以下、図面を参照しつつ本発明を具体的に説明する。なお、各図中、同一符号は同一又は同等の構成要素を表している。
【００１１】
図１（ａ）は、本発明の一実施例のＬＥＤ照明器具１の斜視図であり、同図（ｂ）は、このＬＥＤ照明器具１のベース２から光拡散性カバー３を取り外した状態の斜視図である。
【００１２】
このＬＥＤ照明器具１では、ベース２上に基板４が取り付けられており、基板４には、ＬＥＤ照明回路５が形成され、複数の白色ＬＥＤ６が列設されている。なお、本発明においてＬＥＤ照明回路５自体には特に制限はなく、例えば、特開２００４−１９２８３３号公報に記載の回路構成をとることができる。
【００１３】
基板４は、着脱自在にベース２上に取り付けられる光拡散性カバー３で覆われ、その両端がキャップ７で閉じられ、キャップ７から端子８が突出している。
【００１４】
白色ＬＥＤ６としては、青色ＬＥＤ素子とＹＡＧ等の黄色蛍光体を備えたＳＭＤ型白色ＬＥＤ等の公知の青みがかった白色光を発するＬＥＤチップを搭載することができる。なお、図１（ｂ）には、白色ＬＥＤ６が基板４上に一列に配列している態様を示しているが、本発明において、白色ＬＥＤ６の配列態様には、特に制限はない。
【００１５】
光拡散性カバー３としては、ＬＥＤ照明器具に用いられる乳白色のデヒューザー（diffuser）を使用することができ、より具体的には、例えば光拡散粒子を含有し、必要によりマット加工されたポリカーボネート製等のカバーを使用することができる。また、その光学特性としては、光透過率（JIS K7361-1）６５〜７５％、ヘイズ（JIS K7136）９２〜９６％が好ましい。
【００１６】
このＬＥＤ照明器具１は、白色ＬＥＤ６が配置されている側の基板４の表面が橙色領域Ａとなっており、また、ＬＥＤ照明回路５上も橙色領域Ａとなっており、これにより白色ＬＥＤ６が配置されている側の基板表面の略全面が橙色領域Ａとなっている。このため、図２に示すように、白色ＬＥＤから発せられた光は、カバー３で拡散され、その一部が基板４の橙色領域Ａで反射し、橙色成分を獲得する。そして、橙色成分を獲得した反射光が再度カバー３で拡散する。このカバー３による拡散と基板４の橙色領域Ａによる反射により、ＬＥＤ照明器具１からは、白色ＬＥＤ６の本来の擬似白色光と、橙色成分を獲得した光とが出射し、全体としての照明光の色が、白色ＬＥＤの本来の擬似白色光よりも暖色系となる。したがって、例えば、白色ＬＥＤの本来の擬似白色が、昼光色（相関色温度６５１０Ｋ）よりも青みがかった白色であっても、昼光色（相関色温度６５１０Ｋ）、昼白色（相関色温度５０３０Ｋ）、白色（相関色温度４１７０Ｋ）、温白色（相関色温度３４６０Ｋ）、電球色（相関色温度２８４０Ｋ）といった暖色系白色を得ることができる。なお、ＬＥＤ照明器具１で得る白色光をどの程度の暖色系にするかは、橙色領域の面積、橙色塗膜の色味等によって定まる。
【００１７】
また、このように橙色領域Ａを設けることにより、基板４に配置されている複数の白色ＬＥＤ６に輝度ムラがあっても、ＬＥＤ照明器具１から発せられる照明光には輝度ムラが視認されにくくなる。
【００１８】
橙色領域Ａの形成方法としては、例えば、橙色のソルダーレジストの塗工等によることができ、かかるレジスト塗膜の色の調整は、それに含める顔料組成の調整により行えばよい。
【００１９】
また、ここでいう橙色の範囲は、波長５６０〜５８０ｎｍの色とすることが好ましい。これに対し、基板４の表面を、例えば赤色にすると、ＬＥＤ照明器具１から発せられる照明光の色温度が過度に低くなり、暖色系白色を呈さなくなるので好ましくない。
【００２０】
以上、図１のＬＥＤ照明器具１に基づいて本発明を説明したが、本発明は種々の態様をとることができる。例えば、白色ＬＥＤが配置されている側のベース２の表面に形成してもよい。ＬＥＤ照明器具の全体形状としては、直管型、環型、電球型等任意の形状とすることができる。
【符号の説明】
【００２１】
１    ＬＥＤ照明器具
２    ベース
３    カバー
４    基板
５    ＬＥＤ照明回路
６    白色ＬＥＤ
７    キャップ
８    端子
【図１】
2011100545.tif 000003
【図２】
2011100545.tif 000004